(57)【要約】【課題】  陶磁器などを陳列する際に使用して好適な陳列空間構成具を提供する。また、本考案は陶磁器製造業の国内空洞化に伴う匣鉢の需要減に対し、匣鉢の新規かつ有効な活用手段を提案するものである。【解決手段】  本考案の陳列空間構成具１は、匣鉢構成原料を主材として成形および焼成されて形成され、開口部２と、開口部２と連続的に設けられた側壁部３ａ，３ｂ，３ｃ，３ｄと、側壁部３ａ，３ｂ，３ｃ，３ｄ内に形成された陳列物収納部４とを有している。【選択図】  図４
0003108633.tif 000002
【実用新案登録請求の範囲】
【請求項１】
匣鉢構成原料を主材として成形および焼成されて形成され、開口部と、該開口部と連続的に設けられた側壁部と、該側壁部内に形成された陳列物収納部とを有したことを特徴とする陳列空間構成具。
【請求項２】
前記陳列空間構成具は、表面に釉薬層または色彩層が形成されている請求項１に記載の陳列空間構成具。
【請求項３】
前記陳列空間構成具は、少なくとも一面に前記開口部が設けられた略直方体である請求項１または２に記載の陳列空間構成具。
【請求項４】
前記陳列空間構成具は、底部に緩衝材が貼付されている請求項１ないし３のいずれかに記載の陳列空間構成具。
【請求項５】
前記陳列空間構成具は、複数を積載して使用可能である請求項１ないし４のいずれかに記載の陳列空間構成具。
【請求項６】
前記陳列空間構成具の前記側壁部には、切り欠き部が形成されている請求項１ないし５のいずれかに記載の陳列空間構成具。
【請求項７】
匣鉢の表面に釉薬層または色彩層が形成されて構成されていることを特徴とする陳列空間構成具。
【考案の詳細な説明】
【技術分野】
【０００１】
本考案は、特に陶磁器などを陳列する際に使用して好適な陳列空間構成具に関する。
【背景技術】
【０００２】
従来より、様々な物品を陳列するために、例えば飾り棚やショーケースなどの陳列空間構成具が種々提案されている。
このような陳列空間構成具は、陳列する物品をより引き立てることが重要であり、陳列する物品の素材等に応じて適宜選択使用されている。この点、陶器の陳列には、陶器と同質の素材からなるものが好適と思われるが、これまでそれ相応なものが存在しなかった。
【０００３】
ところで、窯業界では、古くより陶器の焼成に際し成形物を収納する匣鉢という耐火粘土製容器が多用されている。
この匣鉢は、重量物である粘土成形物を収納し焼成窯内で保護すると共に、より多くの粘土成形物を一度に焼成できるように複数積載（窯積み）されて使用されるため、元来、強度性と耐火性に優れている。
【考案の開示】
【考案が解決しようとする課題】
【０００４】
本願考案者は、陳列空間構成具として、この匣鉢に着眼し本考案をなしたものであり、即ち、本考案の課題は、特に陶磁器などを陳列する際に使用して好適な陳列空間構成具を提供することにある。また、本考案は、陶磁器製造業の国内空洞化に伴う匣鉢の需要減に対し、匣鉢の新規かつ有効な活用手段を提案するものである。
【課題を解決するための手段】
【０００５】
上記課題を解決するものは、匣鉢構成原料を主材として成形および焼成されて形成され、開口部と、該開口部と連続的に設けられた側壁部と、該側壁部内に形成された陳列物収納部とを有したことを特徴とする陳列空間構成具である。
【０００６】
前記陳列空間構成具は、表面に釉薬層または色彩層が形成されていることが好ましい。前記陳列空間構成具は、少なくとも一面に前記開口部が形成された略直方体であることが好ましい。前記陳列空間構成具は、底部に緩衝材が貼付されていることが好ましい。前記陳列空間構成具は、複数を積載して使用可能であることが好ましい。前記陳列空間構成具の前記側壁部には、切り欠き部が形成されていてもよい。
【０００７】
また、上記課題を解決するものは、匣鉢の表面に釉薬層または色彩層が形成されて構成されていることを特徴とする陳列空間構成具である。
【考案の効果】
【０００８】
請求項１に記載した考案によれば、特に陶磁器などを陳列する際に使用して好適な陳列空間を構成できる。
請求項２に記載した考案によれば、陳列物に対応してより陳列物を引き立てることができる陳列空間を構成できる。
請求項３に記載した考案によれば、上記請求項１または２の効果に加え、側壁部同士を当接させて区画された複数の陳列空間を構成できる。
請求項４に記載した考案によれば、上記請求項１ないし３の効果に加え、載置部位に損傷を与えることを回避できる。
請求項５に記載した考案によれば、上記請求項１ないし４の効果に加え、立体的で多数の陳列物を陳列できる陳列空間を構成できる。
請求項６に記載した考案によれば、上記請求項１ないし５の効果に加え、陳列物を引き立てるために、より変化に富んだ陳列空間を構成できる。
請求項７に記載した考案によれば、匣鉢を用いて、特に陶磁器などを陳列する際に使用して好適で、陳列物に対応してより陳列物を引き立てることができる陳列空間を構成できる。
【考案を実施するための最良の形態】
【０００９】
本考案の陳列空間構成具は、匣鉢構成原料を主材として成形および焼成されて形成され、開口部と、該開口部と連続的に設けられた側壁部と、該側壁部内に形成された陳列物収納部とを有したことを主要な特徴とする。
【００１０】
図１は、本考案の陳列空間構成具の一実施例の斜視図であり、図２は図１に示した陳列空間構成具の縦断面図であり、図３は図１に示した陳列空間構成具の底面部を正面側とした斜視図であり、図４は図１に示した陳列空間構成具の一使用方法の斜視図であり、図５または図６は、図１に示した陳列空間構成具の他の使用方法の斜視図であり、図７は本考案の陳列空間構成具の他の実施例の縦断面図であり、図８は本考案の陳列空間構成具の他の実施例の斜視図である。
【００１１】
各実施例を順次説明するが、まず、図１ないし図６に示した本考案の陳列空間構成具１について説明する。
この実施例の陳列空間構成具１は、匣鉢構成原料を主材として成形および焼成されて形成され、開口部２と、開口部２と連続的に設けられた側壁部３ａ，３ｂ，３ｃ，３ｄと、側壁部３ａ，３ｂ，３ｃ，３ｄ内に形成された陳列物収納部４と、開口部２と対向した位置に設けられた背面部５と、側壁部３ａ，３ｂ，３ｃ，３ｄおよび背面部５の表面に形成された釉薬層６と、四面からなる側壁部３ａ，３ｂ，３ｃ，３ｄのうちの一面を構成する底部３ｃに貼付された緩衝材７とを有している。以下、各構成について順次詳述する。
【００１２】
この実施例の陳列空間構成具１は、匣鉢構成原料を主材として成形および焼成されて形成されている。匣鉢構成原料としては、シャモット質、ムライト質、炭化珪素質、コーディエライト質、アルミナ質等が好適に使用でき、強度性に優れた陶磁製の陳列空間構成具が形成される。
【００１３】
開口部２は、後述する陳列物収納部４に陳列物を配置するための挿入口であると共に、陳列物を外部より目視可能とする窓部として機能する部位である。この実施例の陳列空間構成具１は略立方体に形成されており、開口部２は、図１および図２に示すように、略立方体の一面に形成された略矩形の開口として構成されている。
【００１４】
側壁部３は、内部に後述する陳列物収納部４を形成するための部位であり、この実施例の側壁部３は、開口部２と連続的に設けられ、略立方体の四面を構成する側壁部３ａ，３ｂ，３ｃ，３ｄからなっている。なお、この実施例の陳列空間構成具１は、開口部２を水平方向に向けて使用する場合には、図４に示すように、陳列空間として、陳列物収納部４と側壁部３ａの上方が利用できる。また、この場合は側壁部３ｃが底部となる。他方、この実施例の陳列空間構成具１は、開口部２を上方に向けて使用してもよく、この場合は後述する背面部５（開口部２と対向した位置に設けられた壁部）が底部となる。
【００１５】
陳列物収納部４は、陳列物を配置する部位であり、この実施例では、側壁部３ａ，３ｂ，３ｃ，３ｄと後述する背面部５に区画されて略立方体の陳列物収納部４が形成されている。陳列物としてはどのようなものでもよいが、特に同素材の陶磁器が好適であり、陳列空間構成具１に陶磁器が配されると、陶磁器を際立った状態で陳列できる。
【００１６】
特に、本考案の陳列空間構成具には、図２に示すように、側壁部３ａ，３ｂ，３ｃ，３ｄおよび背面部５の内外表面を被覆する釉薬層６が形成されていることが好ましい。この釉薬層６は陳列物と対応させて様々な釉薬にて形成することで、より陳列物を引き立てることが可能となる。釉薬層としては、例えば、織部調、マット調、天目調、黄瀬戸調、志野調等が好適であるが、どのような釉薬層も形成可能である。釉薬層６の形成は、素焼きした素地に釉薬を塗布した後、本焼成する方法など周知の方法により形成することができる。また、本考案の陳列空間構成具には、表面に釉薬層を形成するのではなく、例えば塗料の噴霧などにより色彩層を形成してもよい。
【００１７】
また、この実施例の陳列空間構成具１の底部３ｃの下面には、図２および図３に示すように、緩衝材７が貼付されている。このような緩衝材７が底部となる部位の下面に貼付されることにより、載置部位に損傷を与えることを回避できる。緩衝材としては、例えば布製シート、樹脂製シート、または紙製シートなどが好適に使用できる。緩衝材７の貼付位置としては、この実施例では、矩形に形成された底部の下面の四隅付近にそれぞれ点在するように貼付されているが、これに限定されるものではなく、緩衝材として機能する貼付方法であればどのような位置に貼付されていてもよい。
【００１８】
つぎに、図１ないし図３に示した陳列空間構成具１の使用方法について、図４ないし図６を用いて説明する。
陳列空間構成具１の使用方法としては、まず、図４に示すように単体で使用する方法があり、陳列物収納部４や側壁部３ａの上面にそれぞれ陶器１０ａ，１０ｂを配し、展示場や店頭ショーウインドウ等において使用することができる。また、これまで、陶器等の一品製作物を室内において陳列する場合、透明ケースなどが使用されていたが、本考案の陳列空間構成具は、そのようなインテリア用の陳列具としても好適に使用できる。
【００１９】
図５に示した使用方法は、複数の陳列空間構成具(具体的にはこの使用例では、１Ａ，１Ｂ，１Ｃ，１Ｄ，１Ｅ，１Ｆ，１Ｇ)を積載または並置させて所望の形態に組み合わせ、棚状にして使用する方法である。本考案の陳列空間構成具は、窯内で積載される匣鉢を構成するような、強度性に優れた粘土原料から作製されているため適宜数積載可能である。
【００２０】
図６に示した使用方法は、壁本体２０に陳列空間を構成するために、陳列空間構成具１ａ，１ｂ，１ｃ，１ｃを壁本体２０の表面と開口部とが略面一となるようにそれぞれ嵌め込んで使用する方法である。すなわち、建築用材としての使用方法であり、和室の違い棚や、キッチンまたは風呂場等の壁内嵌め込み式収納部の構成材として使用することができる。この点、本考案は素材的に強度性および耐火性に優れており建築用材として好適に使用できる。
【００２１】
さらに、図７または図８に示した本考案の陳列空間構成具の他の実施例について説明する。
まず、図７に示した陳列空間構成具３０は、前述した陳列空間構成具１との対比において、陳列空間構成具１では背面部５であった部位（開口部２と対向した位置に設けられた壁部）が、陳列空間構成具３０では、開口部２ｂである点のみが異なるものであり他は同様である。陳列空間構成具１と同一構成部分については同一符号を付し説明を省略する。このように、本考案の陳列空間構成具は、少なくとも一面に開口部を備え、内部に陳列物収納部４を形成する形態を広く包含するものである。そして、この実施例のように、開口部２ａ，２ｂが複数存在することによって、より変化に富んだ陳列空間を構成できる。
【００２２】
図８に示した陳列空間構成具４０は、前述した陳列空間構成具１との対比において、側壁部３ｂ，３ｄにそれぞれ、円形の切り欠き部４１ａ，４１ｂが形成されている点のみが異なるものであり他は同様である。陳列空間構成具１と同一構成部分については同一符号を付し説明を省略する。そして、このような切り欠き部が形成されることによっても、より変化に富んだ陳列空間を構成を構成できる。
【００２３】
なお、上記実施例の陳列空間構成具は、略立方体に形成されたものであるが、これに限定されるものではなく、例えば立方体以外の直方体、円筒体、多角筒状体、開口部の形状が楕円、半円、クローバー形状等異形の筒状体なども広く本考案の範疇に包含される。また、上記実施例の陳列空間構成具は、匣鉢を構成する匣鉢構成原料にて所望の形態および寸法に構成されたものであるが、匣鉢として作製されたものの表面に釉薬層または色彩層を形成して構成したものも本考案の範疇に包含される。
【図面の簡単な説明】
【００２４】
【図１】本考案の陳列空間構成具の一実施例の斜視図である。
【図２】図１に示した陳列空間構成具の縦断面図である。
【図３】図１に示した陳列空間構成具の底面部を正面側とした斜視図である。
【図４】図１に示した陳列空間構成具の一使用方法の斜視図である。
【図５】図１に示した陳列空間構成具の他の使用方法の斜視図である。
【図６】図１に示した陳列空間構成具の他の使用方法の斜視図である。
【図７】本考案の陳列空間構成具の他の実施例の縦断面図である。
【図８】本考案の陳列空間構成具の他の実施例の斜視図である。
【符号の説明】
【００２５】
１    陳列空間構成具
２    開口部
３    側壁部
３ｃ  底部
４    陳列物収納部
５    背面部
６    釉薬層
７    緩衝材
【図１】
0003108633.tif 000003
【図２】
0003108633.tif 000004
【図３】
0003108633.tif 000005
【図４】
0003108633.tif 000006
【図５】
0003108633.tif 000007
【図６】
0003108633.tif 000008
【図７】
0003108633.tif 000009
【図８】
0003108633.tif 000010